【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
通信の方法であって、
サービスレイヤモジュールによって、サービスレイヤトランザクションが完了したこと、および前記サービスレイヤトランザクションに関連する追加のアクティビティがネットワークエンティティに見込まれないことを示すネットワーク値を取得するステップと、
前記サービスレイヤトランザクションに関連する追加のアクティビティがワイヤレスデバイスに関連する1つまたは複数のアプリケーションに見込まれるかどうかを判定するステップと、
前記サービスレイヤトランザクションに関連する追加のアクティビティが前記ワイヤレスデバイスに見込まれないと判定すると、前記ネットワーク値の受信に基づいてスリープモード値を生成するステップと、
モデムサブシステムまたはアプリケーションサブシステムのうちの少なくとも1つに前記スリープモード値を提供するステップであって、前記スリープモード値は、前記モデムサブシステムまたは前記アプリケーションサブシステムのうちの前記少なくとも1つがスリープモードに入るのが可能になるのを示す、ステップと
を含む、方法。
【請求項２】
前記取得するステップは、サービスレイヤパケットデータユニット(PDU)を受信するステップをさらに含み、前記サービスレイヤPDUは、前記ネットワークエンティティのアドレス、前記ワイヤレスデバイスのアドレス、および前記サービスレイヤトランザクションに関連するトランザクション識別子(ID)を含む、請求項1に記載の方法。
【請求項３】
前記サービスレイヤPDUは、前記ネットワークエンティティのサービスレイヤ識別子、前記ワイヤレスデバイスのサービスレイヤ識別子、または前記サービスレイヤトランザクションに関連するアプリケーションの1つまたは複数の伝送制御プロトコル/ユーザデータグラムプロトコル(TCP/UDP)ポート番号のうちの少なくとも1つをさらに含む、請求項2に記載の方法。
【請求項４】
前記サービスレイヤPDUは、完全性を検証するためにハッシュされるか、セッション鍵を使用して暗号化されるか、またはそれらの任意の組合せである、請求項2に記載の方法。
【請求項５】
前記ネットワーク値は、1に設定されたブール代数値を含む、請求項1に記載の方法。
【請求項６】
前記判定するステップは、前記サービスレイヤトランザクションが完了したこと、および前記サービスレイヤトランザクションに関連する追加のアクティビティが前記ワイヤレスデバイスに関連する前記1つまたは複数のアプリケーションに見込まれないことを示すために局所値を設定するステップをさらに含み、前記局所値は、1に設定されたブール代数値を含み、かつ／または、前記生成するステップは、前記スリープモード値を生成するために前記ネットワーク値と前記局所値とを組み合わせるステップをさらに含む、請求項1に記載の方法。
【請求項７】
前記ネットワークエンティティは、アクセスポイント(AP)、フェムトノード、ピコノード、ノードB、eノードB、無線ネットワークコントローラ(RNC)、またはそれらの任意の組合せのうちの少なくとも1つを含む、請求項1に記載の方法。
【請求項８】
前記ネットワークエンティティは、前記サービスレイヤトランザクションに関連するデータの通信を支援するために前記ワイヤレスデバイスの代わりに接続を開始させるように構成された中間ノードである、請求項1に記載の方法。
【請求項９】
前記提供するステップは、前記モデムサブシステムまたは前記アプリケーションサブシステムのうちの少なくとも1つと共有されるレジスタ内の前記スリープモード値に基づいて値を更新するステップをさらに含み、前記レジスタ内の前記スリープモード値は、データタスクの処理のためにサブシステムが起動することになっていること、前記データタスクが進行中であること、または前記データタスクが完了したことを示し、かつ／または、前記レジスタ内の前記スリープモード値は、前記データタスクに関連するトランスポートプロトコルをさらに示す、請求項1に記載の方法。
【請求項１０】
前記サービスレイヤモジュールは、前記ワイヤレスデバイスまたは中間ノードのうちの少なくとも1つに関連している、請求項1に記載の方法。
【請求項１１】
モデムのための通信の方法であって、
前記モデムがスリープモードに入るのを可能にするようにスリープモード値が設定されたかどうかを判定するステップであって、前記スリープモード値は、ネットワークエンティティとのサービスレイヤトランザクションが完了したこと、および前記サービスレイヤトランザクションに関連する追加のアクティビティがアプリケーションに見込まれないことを示す、ステップと、
前記モデムが前記スリープモードに入るのを可能にするように前記スリープモード値が設定されたと判定すると、前記スリープモードに入るステップと
を含む、方法。
【請求項１２】
前記判定するステップは、前記スリープモード値のためのレジスタをチェックするステップをさらに含み、前記レジスタ内の前記スリープモード値は、データタスクの処理のためにサブシステムが起動することになっていること、前記データタスクが進行中であること、または前記データタスクが完了したことを示すか、または、
前記判定するステップは、
内部スリープタイマが終了したと判定するステップであって、前記スリープモードに入るステップは、前記内部スリープタイマが終了したという前記判定にさらに基づく、ステップ
をさらに含むか、または、
前記判定するステップは、内部スリープタイマが終了したと判定するステップをさらに含み、前記モデムが前記スリープモードに入るのを可能にするように前記スリープモード値が設定されていないと判定すると、前記モデムが前記スリープモードに入るのを禁止するステップをさらに含む、請求項11に記載の方法。
【請求項１３】
通信のための装置であって、
サービスレイヤモジュールによって、サービスレイヤトランザクションが完了したこと、および前記サービスレイヤトランザクションに関連する追加のアクティビティがネットワークエンティティに見込まれないことを示すネットワーク値を取得するための手段と、
前記サービスレイヤトランザクションに関連する追加のアクティビティがワイヤレスデバイスに関連する1つまたは複数のアプリケーションに見込まれるかどうかを判定するための手段と、
前記サービスレイヤトランザクションに関連する追加のアクティビティが前記ワイヤレスデバイスに見込まれないと判定すると、前記ネットワーク値の受信に基づいてスリープモード値を生成するための手段と、
モデムサブシステムまたはアプリケーションサブシステムのうちの少なくとも1つに前記スリープモード値を提供するための手段であって、前記スリープモード値は、前記モデムサブシステムまたは前記アプリケーションサブシステムのうちの前記少なくとも1つがスリープモードに入るのが可能になるのを示す、手段と
を含む、装置。
【請求項１４】
通信のための装置であって、
モデムがスリープモードに入るのを可能にするようにスリープモード値が設定されたかどうかを判定するための手段であって、前記スリープモード値は、ネットワークエンティティとのサービスレイヤトランザクションが完了したこと、および前記サービスレイヤトランザクションに関連する追加のアクティビティがアプリケーションに見込まれないことを示す、手段と、
前記モデムが前記スリープモードに入るのを可能にするように前記スリープモード値が設定されたと判定すると、前記スリープモードに入るための手段と
を含む、装置。
【請求項１５】
プロセッサに請求項1乃至12の何れか1項に記載の方法を実行させるコードを含む、非一時的コンピュータ可読記憶媒体。